(57)【特許請求の範囲】
【請求項１】
赤色のレーザー光を出射する複数の第１光源と、緑色のレーザー光を出射する複数の第２光源と、青色のレーザー光を出射する複数の第３光源と、
前記複数の第１光源のそれぞれに接続する第１調節部と、前記複数の第２光源のそれぞれに接続する第２調節部と、前記複数の第３光源のそれぞれに接続する第３調節部と、を含む複数の駆動回路と、
前記複数の駆動回路のそれぞれに接続される第１一括調整部と、第２一括調整部と、第３一括調整部と、
を具備し、
前記第１調節部は、
一つの第１調節部に接続される一つの第１光源より出射されるレーザー光の出力と、他の第１調節部に接続される他の第１光源より出射されるレーザー光の出力との差が所定範囲内に収まるように調節し、
前記第２調節部は、
一つの第２調節部に接続される一つの第２光源より出射されるレーザー光の出力と、他の第２調節部に接続される他の第２光源より出射されるレーザー光の出力との差が所定範囲内に収まるように調節し、
前記第３調節部は、
一つの第３調節部に接続される一つの第３光源より出射されるレーザー光の出力と、他の第３調節部に接続される他の第３光源より出射されるレーザー光の出力との差が所定範囲内に収まるように調節し、
前記第１一括調整部は、
前記各第１調節部によって調節された前記複数の第１光源より出射されるレーザー光全体の出力を一括して調整し、
前記第２一括調整部は、
前記各第２調節部によって調節された前記複数の第２光源より出射されるレーザー光全体の出力を一括して調整し、
前記第３一括調整部は、
前記各第３調節部によって調節された前記複数の第３光源より出射されるレーザー光全体の出力を一括して調整し、
前記各調節部に接続される前記各光源より出射されるレーザー光の出力の差が前記所定範囲内に収まっている状態を維持したまま、前記各一括調整部によって、前記赤色のレーザー光、前記緑色のレーザー光、及び、前記青色のレーザー光のそれぞれの出力割合を調整する、
照明装置。
【請求項２】
前記各調節部は、可変抵抗器を含み、前記可変抵抗器の値を変化させて、前記接続される各光源より出射されるレーザー光の出力を個別に調節し、
前記各一括調整部は、電界効果トランジスタを含み、前記電界効果トランジスタに印加されるゲート電圧を変化させて、前記各駆動回路に接続される各光源より出射されるレーザー光の出力を一括して調整する、請求項１に記載の照明装置。
【請求項３】
前記各調節部には、前記出力の差が前記所定範囲内にある複数の光源が直列に接続される、請求項１または請求項２に記載の照明装置。
【請求項４】
請求項１〜請求項３のいずれか１項に記載の照明装置と、
前記照明装置に対向し、前記照明装置から照射される光を用いて画像を表示する表示パネルと、
を具備する、表示装置。
【発明の詳細な説明】
【技術分野】
【０００１】
本発明の実施形態は、照明装置および表示装置に関する。
【背景技術】
【０００２】
例えば、液晶表示装置等の表示装置は、画素を有する表示パネルと、表示パネルを照明するバックライト等の照明装置と、を備えている。照明装置は、光を発する光源と、当該光源からの光が照射される導光板と、を備えている。照明装置の光源としては、例えば、レーザー光を出射するレーザーダイオードが複数配置される。
【０００３】
しかしながら、複数のレーザーダイオードが光源として用いられる場合、レーザーダイオードの特性上、輝度むらが発生し易いという問題がある。
【先行技術文献】
【特許文献】
【０００４】
【特許文献１】特開２０１３−１９７３７１号公報
【発明の概要】
【発明が解決しようとする課題】
【０００５】
そこで、本開示は、複数のレーザーダイオードを光源として含む照明装置の輝度むらを抑制し得る照明装置、および、この照明装置を備える表示装置を提供することを目的の１つとする。
【課題を解決するための手段】
【０００６】
本実施形態によれば、
赤色のレーザー光を出射する複数の第１光源と、緑色のレーザー光を出射する複数の第２光源と、青色のレーザー光を出射する複数の第３光源と、前記複数の第１光源のそれぞれに接続する第１調節部と、前記複数の第２光源のそれぞれに接続する第２調節部と、前記複数の第３光源のそれぞれに接続する第３調節部と、を含む複数の駆動回路と、前記複数の駆動回路のそれぞれに接続される第１一括調整部と、第２一括調整部と、第３一括調整部と、を具備し、前記第１調節部は、一つの第１調節部に接続される一つの第１光源より出射されるレーザー光の出力と、他の第１調節部に接続される他の第１光源より出射されるレーザー光の出力との差が所定範囲内に収まるように調節し、前記第２調節部は、一つの第２調節部に接続される一つの第２光源より出射されるレーザー光の出力と、他の第２調節部に接続される他の第２光源より出射されるレーザー光の出力との差が所定範囲内に収まるように調節し、前記第３調節部は、一つの第３調節部に接続される一つの第３光源より出射されるレーザー光の出力と、他の第３調節部に接続される他の第３光源より出射されるレーザー光の出力との差が所定範囲内に収まるように調節し、前記第１一括調整部は、前記各第１調節部によって調節された前記複数の第１光源より出射されるレーザー光全体の出力を一括して調整し、前記第２一括調整部は、前記各第２調節部によって調節された前記複数の第２光源より出射されるレーザー光全体の出力を一括して調整し、前記第３一括調整部は、前記各第３調節部によって調節された前記複数の第３光源より出射されるレーザー光全体の出力を一括して調整し、前記各調節部に接続される前記各光源より出射されるレーザー光の出力の差が前記所定範囲内に収まっている状態を維持したまま、前記各一括調整部によって、前記赤色のレーザー光、前記緑色のレーザー光、及び、前記青色のレーザー光のそれぞれの出力割合を調整する、照明装置が提供される。
【０００７】
本実施形態によれば、
照明装置と、前記照明装置に対向し、前記照明装置から照射される光を用いて画像を表示する表示パネルと、を具備する、表示装置が提供される。
【図面の簡単な説明】
【０００８】
【図１】図１は実施形態に係る表示装置の概略的な構成を示す斜視図である。
【図２】図２はレーザーダイオードの一般的な特性を説明するための図である。
【図３】図３は同実施形態に係る照明装置の概略構成例を示す模式図である。
【図４】図４は同実施形態に係る照明装置であって、赤色、緑色、青色のレーザーダイオードを備える照明装置の概略構成例を示す模式図である。
【図５】図５は同実施形態に係る照明装置であって、赤色、緑色、青色のレーザーダイオードを備える照明装置の別の概略構成例を示す模式図である。
【図６】図６は同実施形態に係る照明装置であって、赤色、緑色、青色のレーザーダイオードを備える照明装置のさらに別の概略構成例を示す模式図である。
【発明を実施するための形態】
【０００９】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有されるものである。また、図面は、説明をより明確にするため、実施の態様に比べて、各部の幅、厚さ、形状等について模式的に表される場合があるが、あくまで一例であって、本発明の解釈を限定するものではない。また、本明細書と各図において、既出の図に関して前述したものと同一または類似した機能を発揮する構成要素には同一の参照符号を付し、重複する詳細な説明を省略することがある。
【００１０】
各実施形態においては、表示装置の一例として、透過型の液晶表示装置を開示する。また、照明装置の一例として、液晶表示装置のバックライトを開示する。但し、各実施形態は、他種の表示装置や照明装置に対する、各実施形態にて開示される個々の技術的思想の適用を妨げるものではない。他種の表示装置としては、例えば、透過型の機能に加えて外光を反射してこの反射光を表示に利用する反射型の機能を備えた液晶表示装置や、Micro Electro Mechanical System（ＭＥＭＳ）シャッターが光学素子として機能する機械式表示パネルを有する表示装置等が想定される。他種の照明装置としては、例えば、表示装置の前面に配置されるフロントライト等が想定される。また、照明装置は、表示装置の照明とは異なる用途で使用されるものであってもよい。
【００１１】
図１は、本実施形態に係る表示装置１の概略的な構成を示す斜視図である。表示装置１は、例えば、スマートフォン、タブレット端末、携帯電話端末、パーソナルコンピュータ、テレビ受像装置、車載装置、ゲーム機器、ウェアラブル端末等の種々の装置に用いることができる。
【００１２】
表示装置１は、表示パネル２と、バックライトである照明装置３と、表示パネル２を駆動する駆動ＩＣチップ４（コントローラ）と、表示パネル２に制御信号を供給する第１フレキシブル回路基板ＦＰＣ１と、照明装置３に制御信号を供給する第２フレキシブル回路基板ＦＰＣ２と、を備えている。例えば、各フレキシブル回路基板ＦＰＣ１およびＦＰＣ２は、表示パネル２および照明装置３の動作を制御する制御モジュールに接続されている。照明装置３の動作を制御する制御モジュールの１つには、後述する駆動回路１０や一括調整機構２０等が含まれてもよい。あるいは、後述する駆動回路１０や一括調整機構２０は、第２フレキシブル回路基板ＦＰＣ２を介さずに照明装置３に接続されてもよい。
【００１３】
表示パネル２は、第１基板ＳＵＢ１（アレイ基板）と、第１基板ＳＵＢ１に対向する第２基板ＳＵＢ２（対向基板）と、を備えている。第１基板ＳＵＢ１および第２基板ＳＵＢ２は、図示しないシール材により貼り合わされており、第１基板ＳＵＢ１、第２基板ＳＵＢ２およびシール材により囲われた空間には図示しない液晶層が封入されている。表示パネル２は、画像を表示する表示領域ＤＡを有している。表示パネル２は、例えば、表示領域ＤＡにおいてマトリクス状に配列された複数の画素ＰＸを備えている。
【００１４】
照明装置３は、第１光源ＬＳ１と、第２光源ＬＳ２と、第１基板ＳＵＢ１に対向する導光板ＬＧと、を備えている。第１光源ＬＳ１は導光板ＬＧの一方の側面に対向し、第２光源ＬＳ２は導光板ＬＧの他方の側面に対向している。図１においては、各光源ＬＳ１およびＬＳ２を１つずつ例示しているが、実際には複数の第１光源ＬＳ１と複数の第２光源ＬＳ２とが設けられている。各光源ＬＳ１およびＬＳ２としては、例えば偏光したレーザー光を出射する半導体レーザー等の発光素子を用いることができる。本実施形態においては、各光源ＬＳ１およびＬＳ２として、レーザーダイオードが用いられる場合を想定し、以下では、各光源ＬＳ１およびＬＳ２をレーザーダイオードＬＤと称して説明する。
【００１５】
表示パネル２と照明装置３とは対向し、表示パネル２は、照明装置３から照射される光を用いて表示領域ＤＡに画像を表示する。
【００１６】
図１に示すように、第１方向Ｘ、第２方向Ｙおよび第３方向Ｚを定義する。各方向Ｘ、ＹおよびＺは、例えば互いに直交する。本開示においては、表示装置１を第３方向Ｚと平行な方向から見ることを平面視と呼ぶ。図１の例において、各基板ＳＵＢ１およびＳＵＢ２と、導光板ＬＧとは、第１方向Ｘに沿う短辺と、第２方向Ｙに沿う長辺とを有しており、平面視における形状が長方形である。但し、各基板ＳＵＢ１およびＳＵＢ２と、導光板ＬＧとの形状はこれに限定されず、平面視における形状が正方形や円形等、他の形状であってもよい。
【００１７】
ここで、図２を参照して、照明装置３を構成するレーザーダイオードＬＤの一般的な特性について説明する。図２は、同じ型番の複数のレーザーダイオードＬＤに対して、同じ大きさの駆動電流Ｉを流した場合のレーザーパワーについて説明するための図である。
【００１８】
レーザーダイオードＬＤのレーザーパワー（レーザーダイオードＬＤの出力）は、一般的に、レーザーダイオードＬＤに流れる駆動電流Ｉの大きさに比例して大きくなる傾向がある。
【００１９】
一方で、レーザーダイオードＬＤは、同じ型番のレーザーダイオードであっても個体差を有しており、例えば図２（ａ）に示すように、同じ型番の複数のレーザーダイオードＬＤを直列に接続し、各レーザーダイオードＬＤに同じ大きさの駆動電流Ｉを流したとしても、同じレーザーパワーを得ることができないという問題がある。
【００２０】
図２（ｂ）によれば、同じ型番の複数のレーザーダイオードＬＤに同じ大きさの駆動電流Ｉを流した場合に得られるレーザーパワーの最小値は１３２９［ｍＷ］である一方で、最大値が１３９９［ｍＷ］であり、レーザーパワーにばらつきが生じてしまっていることが分かる。
【００２１】
これによれば、複数のレーザーダイオードＬＤからなる照明装置３により照射される光には輝度むらが生じてしまう可能性があり、上記したように、照明装置３が表示装置１のバックライトに適用された場合には、表示装置１の表示品位を低下させてしまうといった問題がある。
【００２２】
このため、複数のレーザーダイオードＬＤのレーザーパワーを同程度または均一にすることが可能な新たな技術の実現が望まれている。換言すれば、複数のレーザーダイオードＬＤのレーザーパワーの差を所定範囲内にすることが可能な新たな技術の実現が望まれている。
【００２３】
図３は、本実施形態に係る照明装置３の概略構成例を示す模式図である。  
図３に示すように、照明装置３は、導光板ＬＧの他に、複数のレーザーダイオードＬＤ１〜ＬＤ３と、複数のレーザーダイオードＬＤ１〜ＬＤ３のそれぞれに対応する複数の駆動回路１０Ａ〜１０Ｃと、を備えている。つまり、本実施形態に係る照明装置３においては、１つのレーザーダイオードＬＤに対して、１つの駆動回路１０が設けられている。
【００２４】
各レーザーダイオードＬＤ１〜ＬＤ３は、対応する駆動回路１０Ａ〜１０Ｃにより調節されたレーザーパワーでレーザー光を出射する。
【００２５】
各駆動回路１０Ａ〜１０Ｃは、対応するレーザーダイオードＬＤ１〜ＬＤ３に接続する可変抵抗器と、当該可変抵抗器の抵抗値を制御する制御部と、等を備えており、可変抵抗器の抵抗値の値を変化させて、対応するレーザーダイオードＬＤ１〜ＬＤ３に流れる駆動電流の大きさを変化させることにより、対応するレーザーダイオードＬＤ１〜ＬＤ３から出射されるレーザー光のレーザーパワーを調節する。
【００２６】
図３に示す構成によれば、照明装置３に設けられる複数のレーザーダイオードＬＤ１〜ＬＤ３に流れる駆動電流の大きさを個別に変化させて、複数のレーザーダイオードＬＤ１〜ＬＤ３のレーザーパワーを個別に調節することが可能であるため、照明装置３に設けられる複数のレーザーダイオードＬＤ１〜ＬＤ３のレーザーパワーを同程度または均一にすることが可能である。
【００２７】
複数のレーザーダイオードＬＤ１〜ＬＤ３のレーザーパワーを同程度または均一にすることで、照明装置３により照射される光の輝度むらを抑制することが可能であり、本実施形態に係る照明装置３が表示装置１のバックライトに適用されたとしても、照明装置３に起因した表示装置１の表示品位の低下を抑制することが可能である。
【００２８】
なお、本実施形態に係る照明装置３が表示装置１のバックライトに適用される場合、照明装置３は表示パネル２に対して白色光を照射する必要があるが、レーザー光はその性質上単色しか存在しないため、白色光を得るためには、例えば、赤色、緑色、青色の光を混色させる必要がある。
【００２９】
図４は、本実施形態に係る照明装置３であって、赤色、緑色、青色のレーザーダイオードＬＤを備える照明装置３の概略構成例を示す模式図である。  
図４に示すように、照明装置３は、赤色のレーザーダイオードＬＤ（Ｒ）、緑色のレーザーダイオードＬＤ（Ｇ）、青色のレーザーダイオードＬＤ（Ｂ）と、各色のレーザーダイオードＬＤ（Ｒ），ＬＤ（Ｇ），ＬＤ（Ｂ）にそれぞれ対応する赤色調節機構１０（Ｒ）、緑色調節機構１０（Ｇ）、青色調節機構１０（Ｂ）を含む駆動回路１０と、を備えている。
【００３０】
なお、図４では、１つの赤色、緑色、青色のレーザーダイオードＬＤ（Ｒ），ＬＤ（Ｇ），ＬＤ（Ｂ）と、１つの駆動回路１０とを例示しているが、実際には照明装置３には、赤色、緑色、青色のレーザーダイオードＬＤ（Ｒ），ＬＤ（Ｇ），ＬＤ（Ｂ）の組と、駆動回路１０とが１対１の比率で複数設けられている。
【００３１】
赤色レーザーダイオードＬＤ（Ｒ）は、赤色調節機構１０（Ｒ）により調節されたレーザーパワーで赤色レーザー光を出射する。赤色調節機構１０（Ｒ）は、赤色レーザーダイオードＬＤ（Ｒ）に接続する可変抵抗器と、当該可変抵抗器の抵抗値を制御する制御部と、等を備えており、可変抵抗器の抵抗値を変化させて、赤色レーザーダイオードＬＤ（Ｒ）に流れる駆動電流の大きさを変化させることにより、赤色レーザーダイオードＬＤ（Ｒ）から出射される赤色レーザー光のレーザーパワーを調節する。
【００３２】
緑色レーザーダイオードＬＤ（Ｇ）は、緑色調節機構１０（Ｇ）により調節されたレーザーパワーで緑色レーザー光を出射する。緑色調節機構１０（Ｇ）は、緑色レーザーダイオードＬＤ（Ｇ）に接続する可変抵抗器と、当該可変抵抗器の抵抗値を制御する制御部と、等を備えており、可変抵抗器の抵抗値を変化させて、緑色レーザーダイオードＬＤ（Ｇ）に流れる駆動電流の大きさを変化させることにより、緑色レーザーダイオードＬＤ（Ｇ）から出射される緑色レーザー光のレーザーパワーを調節する。
【００３３】
青色レーザーダイオードＬＤ（Ｂ）は、青色調節機構１０（Ｂ）により調節されたレーザーパワーで青色レーザー光を出射する。青色調節機構１０（Ｂ）は、青色レーザーダイオードＬＤ（Ｂ）に接続する可変抵抗器と、当該可変抵抗器の抵抗値を制御する制御部と、等を備えており、可変抵抗器の抵抗値を変化させて、青色レーザーダイオードＬＤ（Ｂ）に流れる駆動電流の大きさを変化させることにより、青色レーザーダイオードＬＤ（Ｂ）から出射される青色レーザー光のレーザーパワーを調節する。
【００３４】
図４に示す構成によれば、照明装置３に設けられる赤色レーザーダイオードＬＤ（Ｒ）、緑色レーザーダイオードＬＤ（Ｇ）、青色レーザーダイオードＬＤ（Ｂ）に流れる駆動電流の大きさをいずれも個別に変化させて、赤色レーザーダイオードＬＤ（Ｒ）、緑色レーザーダイオードＬＤ（Ｇ）、青色レーザーダイオードＬＤ（Ｂ）のレーザーパワーを個別に調節することが可能である。
【００３５】
このため、例えば、複数の赤色レーザーダイオードＬＤ（Ｒ）のレーザーパワーを同程度または均一にする、複数の緑色レーザーダイオードＬＤ（Ｇ）のレーザーパワーを同程度または均一にする、複数の青色レーザーダイオードＬＤ（Ｂ）のレーザーパワーを同程度または均一にする、全てのレーザーダイオードＬＤのレーザーパワーを同程度または均一にする、等を実現することが可能である。これによれば、照明装置３により照射される光として輝度むらが抑制された白色光を提供することが可能となる。
【００３６】
図５は、本実施形態に係る照明装置３であって、赤色、緑色、青色のレーザーダイオードＬＤを備える照明装置３の別の概略構成例を示す模式図である。  
図５に示すように、照明装置３は、赤色、緑色、青色のレーザーダイオードＬＤ（Ｒ），ＬＤ（Ｇ），ＬＤ（Ｂ）と、各色のレーザーダイオードＬＤ（Ｒ），ＬＤ（Ｇ），ＬＤ（Ｂ）にそれぞれ対応する赤色調節機構１０（Ｒ）、緑色調節機構１０（Ｇ）、青色調節機構１０（Ｂ）を含む複数の駆動回路１０Ａ〜１０Ｃと、各駆動回路１０Ａ〜１０Ｃに接続される赤色一括調整機構２０（Ｒ）と、各駆動回路１０Ａ〜１０Ｃに接続される緑色一括調整機構２０（Ｇ）と、各駆動回路１０Ａ〜１０Ｃに接続される青色一括調整機構２０（Ｂ）と、を備えている。
【００３７】
なお、赤色、緑色、青色のレーザーダイオードＬＤ（Ｒ），ＬＤ（Ｇ），ＬＤ（Ｂ）と、赤色調節機構１０（Ｒ）、緑色調節機構１０（Ｇ）、青色調節機構１０（Ｂ）とについては、図４を用いて既に説明したため、ここではこれらの詳しい説明を省略する。
【００３８】
各駆動回路１０Ａ〜１０Ｃにそれぞれ含まれる赤色調節機構１０（Ｒ）によれば、各赤色調節機構１０（Ｒ）にそれぞれ接続される赤色レーザーダイオードＬＤ（Ｒ）のレーザーパワーを同程度または均一にすることが可能である。同様に、各駆動回路１０Ａ〜１０Ｃにそれぞれ含まれる緑色調節機構１０（Ｇ）によれば、各緑色調節機構１０（Ｇ）にそれぞれ接続される緑色レーザーダイオードＬＤ（Ｇ）のレーザーパワーを同程度または均一にすることが可能であり、各駆動回路１０Ａ〜１０Ｃにそれぞれ含まれる青色調節機構１０（Ｂ）によれば、各青色調節機構１０（Ｂ）にそれぞれ接続される青色レーザーダイオードＬＤ（Ｂ）のレーザーパワーを同程度または均一にすることが可能である。
【００３９】
赤色一括調整機構２０（Ｒ）は、電界効果トランジスタ（ＦＥＴ）を備えており、当該ＦＥＴに印加されるゲート電圧を変化させることで、各駆動回路１０Ａ〜１０Ｃにそれぞれ含まれる赤色調節機構１０（Ｒ）により同程度または均一になるように調節された各赤色レーザーダイオードＬＤ（Ｒ）のレーザーパワーを、各赤色レーザーダイオードＬＤ（Ｒ）のレーザーパワーが同程度または均一であるという状態（換言すると、各赤色レーザーダイオードＬＤ（Ｒ）のレーザーパワーの差が所定範囲内であるという状態）を維持したまま、一括して調整する。
【００４０】
つまり、赤色一括調整機構２０（Ｒ）は、各赤色調節機構１０（Ｒ）により調節された状態（個体差のない状態）を維持したまま、各赤色レーザーダイオードＬＤ（Ｒ）のレーザーパワーを一括して調整する機能を有している。
【００４１】
緑色一括調整機構２０（Ｇ）は、電界効果トランジスタ（ＦＥＴ）を備えており、当該ＦＥＴに印加されるゲート電圧を変化させることで、各駆動回路１０Ａ〜１０Ｃにそれぞれ含まれる緑色調節機構１０（Ｇ）により同程度または均一になるように調節された各緑色レーザーダイオードＬＤ（Ｇ）のレーザーパワーを、各緑色レーザーダイオードＬＤ（Ｇ）のレーザーパワーが同程度または均一であるという状態（換言すると、各緑色レーザーダイオードＬＤ（Ｇ）のレーザーパワーの差が所定範囲内であるという状態）を維持したまま、一括して調整する。
【００４２】
つまり、緑色一括調整機構２０（Ｇ）は、各緑色調節機構１０（Ｇ）により調節された状態（個体差のない状態）を維持したまま、各緑色レーザーダイオードＬＤ（Ｇ）のレーザーパワーを一括して調整する機能を有している。
【００４３】
青色一括調整機構２０（Ｂ）は、電界効果トランジスタ（ＦＥＴ）を備えており、当該ＦＥＴに印加されるゲート電圧を変化させることで、各駆動回路１０Ａ〜１０Ｃにそれぞれ含まれる青色調節機構１０（Ｂ）により同程度または均一になるように調節された各青色レーザーダイオードＬＤ（Ｂ）のレーザーパワーを、各青色レーザーダイオードＬＤ（Ｂ）のレーザーパワーが同程度または均一であるという状態（換言すると、各青色レーザーダイオードＬＤ（Ｂ）のレーザーパワーの差が所定範囲内であるという状態）を維持したまま、一括して調整する。
【００４４】
つまり、青色一括調整機構２０（Ｂ）は、各青色調節機構１０（Ｂ）により調節された状態（個体差のない状態）を維持したまま、各青色レーザーダイオードＬＤ（Ｂ）のレーザーパワーを一括して調整する機能を有している。
【００４５】
図５に示す構成によれば、照明装置３に設けられる赤色、緑色、青色の複数のレーザーダイオードＬＤ（Ｒ），ＬＤ（Ｇ），ＬＤ（Ｂ）のレーザーパワーを、各色に対応する調節機構１０（Ｒ），１０（Ｇ），１０（Ｂ）によって調節された後の状態を維持したまま、一括して調整することが可能であるため、赤色レーザー光、緑色レーザー光、青色レーザー光のレーザーパワーのバランス（割合）を容易に調整することが可能である。このため、例えば、赤色レーザー光、緑色レーザー光、青色レーザー光を混色させて得られる白色光が好適な白色でない（例えば、暗すぎる白色である、明るすぎる白色である、等）場合には、各色のレーザーパワーのバランスを変化させて、好適な白色の白色光を得ることが可能である。
【００４６】
以上説明した実施形態においては、１つのレーザーダイオードＬＤ（Ｒ），ＬＤ（Ｇ），ＬＤ（Ｂ）に対して１つの調節機構１０（Ｒ），１０（Ｇ），１０（Ｂ）が設けられている場合について説明したが、これに限定されず、例えば同じ大きさの駆動電流を流した時のレーザーパワーの差が予め所定範囲内である複数のレーザーダイオードＬＤは、図６に示すように、直列に接続されても構わない。なお、図６においては、２つのレーザーダイオードＬＤが直列に接続されている場合を例示しているが、直列に接続されるレーザーダイオードＬＤの数はこれに限定されず、任意の数であって構わない。
【００４７】
照明装置３を構成するレーザーダイオードＬＤの数が一定であるとすると、図６に示す構成においては２つのレーザーダイオードＬＤ（Ｒ），ＬＤ（Ｇ），ＬＤ（Ｂ）がそれぞれ直列に接続されているため、図４に示した構成に比べて、各調節機構１０（Ｒ），１０（Ｇ），１０（Ｂ）においてレーザーパワーを調節する工程の数を半分に減らすことが可能である。
【００４８】
以上説明した本実施形態に係る照明装置は、レーザー光を出射する複数のレーザーダイオードと、複数のレーザーダイオードのそれぞれに接続し、各レーザーダイオードより出射されるレーザー光の出力を調節可能な調節機構を含む複数の駆動回路と、複数の駆動回路に接続される一括調整機構と、を備え、各調節機構は、一つの調節部に接続されるレーザーダイオードより出射されるレーザー光の出力と、他の調節部に接続されるレーザーダイオードより出射されるレーザー光の出力との差が所定範囲内に収まるように調節し、一括調整機構は、各調節機構によって調節された複数のレーザーダイオードより出射されるレーザー光全体の出力を一括して調整する。
【００４９】
これによれば、複数のレーザーダイオードを光源として含む照明装置の輝度むらを抑制し得る照明装置、および、この照明装置を備える表示装置を提供することが可能である。
【００５０】
本発明の思想の範疇において、当業者であれば、各種の変形例に想到し得るものであり、それら変形例についても本発明の範囲に属するものと解される。例えば、上述の各実施形態に対して、当業者が適宜、構成要素の追加、削除、若しくは設計変更を行ったもの、または、工程の追加、省略若しくは条件変更を行ったものも、本発明の要旨を備えている限り、本発明の範囲に含まれる。
【００５１】
また、上述の各実施形態において述べた態様によりもたらされる他の作用効果について、本明細書の記載から明らかなもの、または当業者において適宜想到し得るものについては、当然に本発明によりもたらされるものと解される。
【符号の説明】
【００５２】
３…照明装置、１０Ａ〜１０Ｃ…駆動回路、１０（Ｒ）…赤色調節機構、１０（Ｇ）…緑色調節機構、１０（Ｂ）…青色調節機構、２０（Ｒ）…赤色一括調整機構、２０（Ｇ）…緑色一括調整機構、２０（Ｂ）…青色一括調節機構、ＬＤ（Ｒ）…赤色レーザーダイオード、ＬＤ（Ｇ）…緑色レーザーダイオード、ＬＤ（Ｂ）…青色レーザーダイオード、ＬＧ…導光板。
【要約】
【課題】複数のレーザーダイオードを光源として含む照明装置の輝度むらを抑制し得る照明装置、および、この照明装置を備える表示装置を提供すること。
【解決手段】実施形態に係る照明装置は、レーザー光を出射する複数の光源と、複数の光源のそれぞれに接続し、各光源より出射されるレーザー光の出力を調節可能な調節部を含む複数の駆動回路と、複数の駆動回路に接続される一括調整部と、を備え、各調節部は、一つの調節部に接続される光源より出射されるレーザー光の出力と、他の調節部に接続される光源より出射されるレーザー光の出力との差が所定範囲内に収まるように調節し、一括調整部は、各調節部によって調節された複数の光源より出射されるレーザー光全体の出力を一括して調整する。
【選択図】      図５【図１】
0006903776.tif 000002
【図２】
0006903776.tif 000003
【図３】
0006903776.tif 000004
【図４】
0006903776.tif 000005
【図５】
0006903776.tif 000006
【図６】
0006903776.tif 000007